(57)【要約】【課題】  故障信号カットスイッチがＯＮ状態で行われた点検作業後における、点検作業員による故障信号カットスイッチのＯＦＦ操作のし忘れ防止を支援するエレベータ制御装置を提供する。【解決手段】  実施形態によれば、実施形態によればエレベータ制御装置は、エレベータ内で発生した故障信号を無効にするための故障信号カットスイッチに接続されるとともに、各階のエレベータ乗場に設置された乗場表示装置および乗りかご内に設置されたかご内表示装置に接続されている。当該エレベータ制御装置は、故障信号カットスイッチがＯＮ状態に操作されたことを検知すると、乗場表示装置およびかご内表示装置の一部または全体を点滅させ、故障信号カットスイッチがＯＦＦ状態に操作されたことを検知すると、乗場表示装置およびかご内表示装置の点滅を停止させる。【選択図】図１
2019001556.tif 000002
【特許請求の範囲】
【請求項１】
エレベータ内で発生した故障信号を無効にするための故障信号カットスイッチに接続されるとともに、前記エレベータの各階のエレベータ乗場に設置された乗場表示装置および前記エレベータの乗りかご内に設置されたかご内表示装置に接続されたエレベータ制御装置において、
前記故障信号カットスイッチがＯＮ状態に操作されたことを検知すると、前記乗場表示装置および前記かご内表示装置の一部または全体を点滅させ、前記故障信号カットスイッチがＯＦＦ状態に操作されたことを検知すると、前記乗場表示装置および前記かご内表示装置の点滅を停止させる機器制御部
を備えることを特徴とするエレベータ制御装置。
【請求項２】
前記機器制御部は、前記故障信号カットスイッチがＯＮ状態に操作され、前記乗りかごに人がいないと判断すると、前記乗りかごの照明を消灯または点滅させる
ことを特徴とする請求項１に記載のエレベータ制御装置。
【請求項３】
前記機器制御部は、前記故障信号カットスイッチがＯＮ状態に操作されたことを検知し、前記乗場表示装置および前記かご内表示装置の一部を点滅させたときに、「点検中」であることを示す文字を併せて表示させる
ことを特徴とする請求項１または２に記載のエレベータ制御装置。
【請求項４】
前記機器制御部は、前記故障信号カットスイッチがＯＮ状態に操作されたことを検知すると、前記エレベータ乗場に設置された呼び登録ボタン、前記乗りかご内に設置された行先階登録ボタン、および戸開閉ボタンを点滅させる
ことを特徴とする請求項１〜３いずれか１項に記載のエレベータ制御装置。
【発明の詳細な説明】
【技術分野】
【０００１】
本発明の実施形態は、エレベータ制御装置に関する。
【背景技術】
【０００２】
従来、エレベータの点検作業が行われる際は、エレベータに設置された故障信号カットスイッチが作業員によりＯＮ状態に操作される。
【０００３】
故障信号カットスイッチがＯＮ状態に操作されることにより、点検作業に伴う不必要な故障信号の発報が阻止され、作業効率を向上させることができる。
【先行技術文献】
【特許文献】
【０００４】
【特許文献１】特開２０１５−４８２２６号公報
【発明の概要】
【発明が解決しようとする課題】
【０００５】
しかし上述した故障信号カットスイッチは作業員により手動で操作されるものであるため、点検作業完了後に、ＯＦＦ状態への操作のし忘れが発生することがあるという問題があった。
【０００６】
本発明は上記事情に鑑みてなされたものであり、故障信号カットスイッチがＯＮ状態で行われた点検作業後における、点検作業員による故障信号カットスイッチのＯＦＦ操作のし忘れ防止を支援するエレベータ制御装置を提供することを目的とする。
【課題を解決するための手段】
【０００７】
上記目的を達成するための実施形態によればエレベータ制御装置は、エレベータ内で発生した故障信号を無効にするための故障信号カットスイッチに接続されるとともに、各階のエレベータ乗場に設置された乗場表示装置および乗りかご内に設置されたかご内表示装置に接続されている。当該エレベータ制御装置は、故障信号カットスイッチがＯＮ状態に操作されたことを検知すると、乗場表示装置およびかご内表示装置の一部または全体を点滅させ、故障信号カットスイッチがＯＦＦ状態に操作されたことを検知すると、乗場表示装置およびかご内表示装置の点滅を停止させる。
【図面の簡単な説明】
【０００８】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。された状態の乗場表示装置およびかご内表示装置の一例を示す外観図。
【発明を実施するための形態】
【０００９】
〈一実施形態によるエレベータ制御装置を利用したエレベータシステムの構成〉
本発明の一実施形態によるエレベータ制御装置を利用したエレベータシステム１の構成を、図１を参照して説明する。
【００１０】
本実施形態によるエレベータシステム１は、３階建ての建物に設置されたエレベータを管理し、１階のエレベータ乗場に設置された乗場操作盤１０−１と、２階のエレベータ乗場に設置された乗場操作盤１０−２と、３階のエレベータ乗場に設置された乗場操作盤１０−３およびホールメンテナンスボックス（ＨＭＢ）２０と、乗りかご内に設置されたかご内操作盤３０と、各乗場操作盤１０−１〜１０−３、ＨＭＢ２０、およびかご内操作盤３０に接続されたエレベータ制御装置４０と、エレベータ制御装置４０にネットワーク５０を介して設置された監視センタ装置６０とを備える。ＨＭＢ２０は例えば建物の最上階のエレベータ乗場に設置されるものであり、ＨＭＢ２０の操作面上に乗場操作盤１０−３が重ねて設置されている。
【００１１】
乗場操作盤１０−１には、乗場表示装置１１−１と、利用者が上方向に移動する際に操作する呼び登録ボタン１２−１とが設置されている。また乗場操作盤１０−２には、乗場表示装置１１−２と、利用者が上方向に移動する際に操作する呼び登録ボタン１２−２ａと、利用者が下方向に移動する際に操作する呼び登録ボタン１２−２ｂとが設置されている。また乗場操作盤１０−３には、乗場表示装置１１−３と、利用者が下方向に移動する際に操作する呼び登録ボタン１２−３とが設置されている。
【００１２】
またＨＭＢ２０には、ＨＭＢ基板２１が設置され、このＨＭＢ基板２１上に故障信号カットスイッチ（ＦＤＳスイッチ）２２が設置されている。通常運転時は、エレベータ内で故障が発生すると故障信号がエレベータ制御装置４０を介して監視センタ装置６０に送信されるが、点検作業時は作業員によりこのＦＤＳスイッチ２２がＯＮ状態に操作されることで、故障信号の発報がエレベータ制御装置４０で阻止され、監視センタ装置６０への送信処理が停止されるように設定される。
【００１３】
またかご内操作盤３０には、かご内表示装置３１と、利用者が行き先階を操作するための行き先階登録ボタン群３２と、利用者が乗りかごを戸開閉操作するための戸開閉ボタン３３とが設置されている。
【００１４】
エレベータ制御装置４０は、図２に示すように、ＦＤＳスイッチ操作情報取得部４１と、故障信号処理部４２と、機器制御部４３とを有する。
【００１５】
ＦＤＳスイッチ操作情報取得部４１は、ＦＤＳスイッチ２２がＯＮ状態に操作されたことを検知したとき、および、ＦＤＳスイッチ２２がＯＮ状態からＯＦＦ状態に操作されたことを検知したときに、故障信号処理部４２および機器制御部４３に当該検知内容を通知する。
【００１６】
故障信号処理部４２は、通常運転時にエレベータ内の機器で発生した故障信号を受信すると、ネットワーク５０を介して監視センタ装置６０に送信する。また、ＦＤＳスイッチ操作情報取得部４１から、ＦＤＳスイッチ２２がＯＮ状態に操作されたことが通知されると、監視センタ装置６０への故障信号の送信処理を中止する。つまり、発生した故障信号を無効にする。また、ＦＤＳスイッチ操作情報取得部４１から、ＦＤＳスイッチ２２がＯＮ状態からＯＦＦ状態に操作されたことが通知されると、監視センタ装置６０への故障信号の送信処理を復帰させる。
【００１７】
機器制御部４３は、通常運転時には、乗場表示装置１１−１〜１１−３およびかご内表示装置３１に、乗りかごの現在位置および走行方向を表示させる。またＦＤＳスイッチ操作情報取得部４１から、ＦＤＳスイッチ２２がＯＮ状態に操作されたことが通知されると、乗場表示装置１１−１〜１１−３およびかご内表示装置３１の一部または全体を点滅させるように切り替える。また、ＦＤＳスイッチ操作情報取得部４１から、ＦＤＳスイッチ２２がＯＮ状態からＯＦＦ状態に操作されたことが通知されると、乗場表示装置１１−１〜１１−３およびかご内表示装置３１の点滅を停止させ、乗りかごの現在位置および走行方向を表示させるように切り替える。
【００１８】
監視センタ装置６０は、エレベータ制御装置４０から送信された故障信号を受信するとこれに対応し、監視員に報知する表示や音声の出力を行ったり所定の制御信号をエレベータ制御装置４０に送信したりする。
【００１９】
〈一実施形態によるエレベータ制御装置を利用したエレベータシステムの動作〉
次に、本実施形態によるエレベータシステム１の動作について説明する。図３は、エレベータシステム１で管理されるエレベータの点検作業が行われる際に、エレベータ制御装置４０で実行される処理を示すフローチャートである。
【００２０】
本実施形態によるエレベータシステム１では、通常運転時はエレベータ制御装置４０の機器制御部４３の制御により、乗場表示装置１１−１〜１１−３およびかご内表示装置３１に、乗りかごの現在位置および走行方向が表示されている。また、通常運転時にエレベータ内で故障信号が発生するとエレベータ制御装置４０の故障信号処理部４２により監視センタ装置６０に送信されるように設定されている（Ｓ１）。
【００２１】
当該エレベータにおいて点検作業が開始される際に、作業員により乗場操作盤１０−３が外されてＨＭＢ２０のＨＭＢ基板２１上のＦＤＳスイッチ２２がＯＮ状態に操作されると、当該操作がエレベータ制御装置４０のＦＤＳスイッチ操作情報取得部４１で検知される。
【００２２】
ＦＤＳスイッチ操作情報取得部４１においてＦＤＳスイッチ２２がＯＮ状態に操作されたことが検知されると（Ｓ２の「YES」）、故障信号処理部４２および機器制御部４３に通知される（Ｓ３）。
【００２３】
故障信号処理部４２においてＦＤＳスイッチ２２がＯＮ状態に操作されたことが通知されると、監視センタ装置６０への故障信号の送信処理が中止される。また、機器制御部４３においてＦＤＳスイッチ２２がＯＮ状態に操作されたことが通知されると、乗場表示装置１１−１〜１１−３およびかご内表示装置３１の一部または全体を点滅させるように切り替えられる（Ｓ４）。
【００２４】
その後点検作業が完了し作業員によりＦＤＳスイッチ２２がＯＦＦ状態に戻されると、当該操作がエレベータ制御装置４０のＦＤＳスイッチ操作情報取得部４１で検知される。
【００２５】
ＦＤＳスイッチ操作情報取得部４１においてＦＤＳスイッチ２２がＯＮ状態からＯＦＦ状態に操作されたことが検知されると（Ｓ５）、故障信号処理部４２および機器制御部４３に通知される（Ｓ６）。
【００２６】
故障信号処理部４２においてＦＤＳスイッチ２２がＯＮ状態からＯＦＦ状態に操作されたことが通知されると、監視センタ装置６０への故障信号の送信処理が復帰される。また、機器制御部４３においてＦＤＳスイッチ２２がＯＮ状態からＯＦＦ状態に操作されたことが通知されると、乗場表示装置１１−１〜１１−３およびかご内表示装置３１の点滅が停止され、乗りかごの現在位置および走行方向が表示させるように切り替えられる（Ｓ７）。そして、ステップＳ１の通常運転処理に戻る。
【００２７】
以上の本実施形態によれば、点検作業を開始する際に、作業員により操作されるＦＤＳスイッチの状態に連動して、乗場や乗りかご内の表示装置の一部または全体を点滅させるため、ＦＤＳスイッチがＯＮ状態であることを、作業員に認識されやすいように報知することができる。
【００２８】
上述した実施形態において、ＦＤＳスイッチ２２がＯＮ状態に操作され、図１に示すように、エレベータ制御装置４０により乗場表示装置１１−１〜１１−３およびかご内表示装置３１の一部の点滅エリア１１ａ−１〜１１ａ−３、３１ａが点滅されているときに、これらの表示装置に「点検中」であることを示す文字を併せて表示させるようにしてもよい。
【００２９】
また、ＦＤＳスイッチ２２がＯＮ状態であるときに、エレベータ制御装置４０により、乗りかご内の照明を消灯または点滅させるようにしてもよい。乗りかご内の照明を消灯または点滅させると、乗りかご内で点検作業を行う際には不都合となる。そこで、エレベータ制御装置４０の機器制御部４３において、乗りかご内に人がいるか否かを監視し、ＦＤＳスイッチ２２がＯＮ状態で乗りかご内に人がいると判断したときには乗りかごの照明を通常の点灯状態にし、乗りかご内に人がいないと判断したときには乗りかごの照明を消灯または点滅させるようにしてもよい。乗りかご内に人がいるか否かは、乗りかごに設置された荷重検知装置により検知された荷重量、乗りかご内に設置された監視カメラの画像情報、または、乗りかご内に設置された人感センサの検知情報等を監視することにより、判断することができる。このように制御することにより、作業員が点検作業を終了してＦＤＳスイッチ２２をＯＦＦ操作せずに乗りかごから乗場に降りたときに、乗りかご内の照明が消灯または点滅され、確実にスイッチの操作忘れに気づくことができる。
【００３０】
また、ＦＤＳスイッチ２２がＯＮ状態であるときに、エレベータ制御装置４０により、乗場操作盤１０−１〜１０−３の呼び登録ボタン１２−１、１２−２ａ、１２−２ｂ、１２−３、およびかご内操作盤３０の行先階登録ボタン３２および戸開閉ボタン３３を点滅させるようにしてもよい。これらのボタンを点滅させることで、さらに作業員にＦＤＳスイッチ２２のＯＦＦ操作のし忘れを認識させやすくすることができる。
【００３１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
１…エレベータシステム、１０−１，１０−２，１０−３…乗場操作盤、１１−１，１１−２，１１−３…乗場表示装置、１１ａ−１，１１ａ−２，１１ａ−３…点滅エリア、１２−１，１２−２ａ，１２−２ｂ，１２−３…呼び登録ボタン、２０…ホールメンテナンスボックス（ＨＭＢ）、２１…基板、２２…故障信号カットスイッチ（ＦＤＳスイッチ）、３０…かご内操作盤、３１…かご内表示装置、３１ａ…点滅エリア、３２…先階登録ボタン群、３３…戸開閉ボタン、４０…エレベータ制御装置、４１…スイッチ操作情報取得部、４２…故障信号処理部、４３…機器制御部、５０…ネットワーク、６０…監視センタ装置
【図１】
2019001556.tif 000003
【図２】
2019001556.tif 000004
【図３】
2019001556.tif 000005
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
エレベータ内で発生した故障信号を無効にするための故障信号カットスイッチに接続されたエレベータ制御装置において、
前記故障信号カットスイッチがＯＮ状態に操作され、前記エレベータの乗りかごに人がいないと判断すると、前記乗りかごの照明を消灯または点滅させる機器制御部
を備えることを特徴とするエレベータ制御装置。
【請求項２】
前記機器制御部は、前記故障信号カットスイッチがＯＮ状態に操作されたことを検知すると、前記エレベータの各階の乗場に設置された乗場表示装置および前記エレベータの乗りかご内に設置されたかご内表示装置の一部または全体を点滅させ、前記故障信号カットスイッチがＯＦＦ状態に操作されたことを検知すると、前記乗場表示装置および前記かご内表示装置の点滅を停止させる
ことを特徴とする請求項１に記載のエレベータ制御装置。
【請求項３】
前記機器制御部は、前記故障信号カットスイッチがＯＮ状態に操作されたことを検知し、前記乗場表示装置および前記かご内表示装置の一部を点滅させたときに、「点検中」であることを示す文字を併せて表示させる
ことを特徴とする請求項２に記載のエレベータ制御装置。
【請求項４】
前記機器制御部は、前記故障信号カットスイッチがＯＮ状態に操作されたことを検知すると、前記エレベータの各階の乗場に設置された呼び登録ボタン、前記乗りかご内に設置された行先階登録ボタン、および戸開閉ボタンを点滅させる
ことを特徴とする請求項１〜３いずれか１項に記載のエレベータ制御装置。
【手続補正２】
【補正対象書類名】明細書
【補正対象項目名】０００７
【補正方法】変更
【補正の内容】
【０００７】
上記目的を達成するための実施形態によればエレベータ制御装置は、エレベータ内で発生した故障信号を無効にするための故障信号カットスイッチに接続される。当該エレベータ制御装置は、故障信号カットスイッチがＯＮ状態に操作され、エレベータの乗りかごに人がいないと判断すると、乗りかごの照明を消灯または点滅させる。